(57)【要約】【課題】小型の脱臭装置を用いても脱臭効率を向上させることができる生活臭脱臭システムを提供すること。【解決手段】建物１の居室２の天井上又は床下に脱臭装置５を配設し、居室２内の空気を脱臭装置５に供給して脱臭した後に居室２に戻す循環風路（ダクト１４，１５内及び脱臭装置５内の一連の風路）が設けられ、循環風路（ダクト１４，１５内及び脱臭装置５内の一連の風路）途中に送風ファン１３が設けられている。また、脱臭装置５は脱臭ケース６及び脱臭ケース６内に折り曲げて配設された脱臭シート７を備えている。【選択図】  図１
2006122261.tif 000002
【特許請求の範囲】
【請求項１】
建物の空間の天井上又は床下に脱臭装置を配設し、前記空間内の空気を前記脱臭装置に供給して脱臭した後に前記空間に戻す循環風路が設けられ、前記循環風路途中に送風ファンが設けられた生活臭脱臭システムであって、
前記脱臭装置は脱臭ケース及び該脱臭ケース内に折り曲げて配設された脱臭シートを備えることを特徴とする生活臭脱臭システム。
【請求項２】
前記脱臭装置は前記循環風路途中に着脱可能に介装されていると共に、前記脱臭装置の設置位置に対応させて前記天井又は床に前記脱臭装置全体を出し入れ可能な点検口が設けられ、前記点検口を蓋体で開閉可能に閉成されていることを特徴とする請求項１に記載の生活臭脱臭システム。
【請求項３】
前記脱臭装置のケースにケース蓋で開閉可能な脱臭部材出入口を設け、前記ケース蓋を前記点検口に臨ませたことを特徴とする請求項１又は２に記載の生活臭脱臭システム。
【請求項４】
建物は下階空間と上階空間を有し、前記下階空間の天井と上階空間の床との間に脱臭装
置が配設され、前記下階空間と上階空間の空気を前記脱臭装置を介して前記下階空間と上階空間に循環させる循環風路が設けられていると共に、前記循環風路の途中に前記下階空間と上階空間の空気を同時又は切り替えて循環させる切替手段が設けられていることを特徴とする請求項１又は２に記載の生活臭脱臭システム。
【発明の詳細な説明】
【技術分野】
【０００１】
この発明は、脱臭装置を天井上又は床下に配設した生活臭脱臭システムに関するものである。
【背景技術】
【０００２】
従来の建物には、脱臭装置を天井等に配設して、居室内の空気を脱臭装置を介して循環させることにより、空気に含まれる臭気を脱臭するようにした脱臭システムが知られている（例えば、特許文献１参照）。
【特許文献１】特許第３０８９２３９号公報
【発明の開示】
【発明が解決しようとする課題】
【０００３】
しかし、従来の脱臭システムにおいては、脱臭シートを平坦な状態で使用しているため、脱臭効率が必ずしも良いとは言えないものであった。
【０００４】
そこで、この発明は、小型の脱臭装置を用いても脱臭効率を向上させることができる生活臭脱臭システムを提供することを目的とするものである。
【課題を解決するための手段】
【０００５】
この目的を達成するため、請求項１の発明は、建物の空間の天井上又は床下に脱臭装置を配設し、前記空間内の空気を前記脱臭装置に供給して脱臭した後に前記空間に戻す循環風路が設けられ、前記循環風路途中に送風ファンが設けられた生活臭脱臭システムであって、前記脱臭装置は脱臭ケース及び該脱臭ケース内に折り曲げて配設された脱臭シートを備える生活臭脱臭システムとしたことを特徴とする。
【０００６】
また、請求項２の発明は、前記脱臭装置は前記循環風路途中に着脱可能に介装されていると共に、前記脱臭装置の設置位置に対応させて前記天井又は床に前記脱臭装置全体を出し入れ可能な点検口が設けられ、前記点検口を蓋体で開閉可能に閉成されていることを特徴とする。
【０００７】
更に、請求項３の発明は、前記脱臭装置のケースにケース蓋で開閉可能な脱臭部材出入口を設け、前記ケース蓋を前記点検口に臨ませたことを特徴とする。
【０００８】
また、請求項４の発明は、建物は下階空間と上階空間を有し、前記下階空間の天井と上階空間の床との間に脱臭装置が配設され、前記下階空間と上階空間の空気を前記脱臭装置を介して前記下階空間と上階空間に循環させる循環風路が設けられていると共に、前記循環風路の途中に前記下階空間と上階空間の空気を同時又は切り替えて循環させる切替手段が設けられていることを特徴とする。
【発明の効果】
【０００９】
請求項１の発明によれば、脱臭シートが脱臭ケース内に折り曲げて配設して、脱臭面積を大きくしているので、小型の脱臭装置を用いても脱臭効率を向上させることができる。
【００１０】
また、請求項２の発明によれば、脱臭装置全体を点検口から交換可能であるので、脱臭装置のメインテナンス性が向上する。
【００１１】
更に、請求項３の発明によれば、脱臭シートのみを容易に交換可能であるので、メイン
テナンス性が更に向上する。
【００１２】
また、請求項４の発明によれば、上階空間と下階空間の空気内の臭気の脱臭を同時又は切り替えて行うことができるので、一つの脱臭装置で上階空間と下階空間の空気内の臭気の脱臭を効果的に行うことができる。
【発明を実施するための最良の形態】
【００１３】
以下、この発明の実施の形態を図面に基づいて説明する。
[構成]
図１は、この発明に係る生活臭脱臭システムの一例を模式的に示したものである。図１において、１は建物、２は建物１内の居室（空間）、３は居室２の床板、４は床下空間である。
【００１４】
この床下空間４内には脱臭装置５が配設されている。この脱臭装置５は、図１，２に示したように脱臭ケース６、及び脱臭ケース６内に配設された複数の脱臭シート７を有する。この脱臭シート７は、図２に示したようにシート状の脱臭部材を筒状に形成すると共に、この円筒形状のものを楕円状に折り曲げるようにして脱臭ケース６内に配設されている。この場合、折り曲げたシート部７ａ，７ｂ間に通風路８が形成されるようになっている。図２では脱臭シート７が２つ上下に重ねて設けられた例を示したが、実際には脱臭シート７を多数重ねて用いる。
【００１５】
このように多数の脱臭シート７を折り曲げて重ねることで脱臭面積を広く取れるので、脱臭装置５を小型にして設置面積を小さくできる。このように小型他の脱臭装置５としても、脱臭シート７を折り曲げて重ねることで、脱臭装置５内の脱臭シート７による脱臭面積を大きく（大面積化）することで、高効率脱臭を実現できる。尚、脱臭ケース６は、図４に示したように上端に脱臭部材出入口９ａが設けられたケース本体９と、脱臭部材出入口９ａの開閉をするケース蓋１０を有する。
【００１６】
また、ケース本体９の長手方向両端部には図３に示したように接続筒部１１，１２が設けられている。しかも、ケース本体９の一端部内には、図１，図２に示したように接続筒部１１に対応して送風ファン１３が設けられている。この接続筒部１１は、図４に示したように一対設けられている。尚、図示は省略したが接続筒部１２も接続筒部１１，１１に対応して一対設けられている。
【００１７】
そして、図１に示したように床板３の両側部にはダクト接続口３ａ，３ｂが形成されている。このダクト接続口３ａ，３ｂには循環用の吸込ダクト１４及び循環用の送風ダクト１５の一端部がそれぞれ接続されている。尚、吸込ダクト１４の一端は吸込口として居室２に開口し、送風ダクト１５の一端は居室２に送風口として開口している。
【００１８】
この吸込ダクト１４の他端部は、図１，図３に示したように脱臭装置５の接続筒部１１に着脱可能に嵌合接続されていると共に、図３に示したように締結バンド１４ａで着脱可能に固定されている。また、送風ダクト１５の他端部は、脱臭装置５の接続筒部１２に着脱可能に嵌合接続されていると共に、締結バンド１５ａで着脱可能に固定されている。また、ダクト１４，１５の脱臭装置５側の端部には伸縮可能な蛇腹部１４ｂ，１５ｂが設けられていて、脱臭装置５をダクト１４，１５に着脱し易くしている。
【００１９】
更に、床板３には、図３，図４に示したように脱臭装置５の設置位置に対応させて脱臭装置５全体を出し入れ可能な点検口１６が設けられている。この点検口１６は蓋体１７で開閉可能に閉成されている。
【００２０】
次に、このような構成の生活臭脱臭システムの作用を説明する。
[作用]
例えば、居室２を利用している人（図示せず）がタバコ１８を吸っていたり、或いは居室２内において猫や犬等の動物をペット１９として飼っている場合、タバコ１８の煙の臭いやペット１９から発生する臭いが臭気として発生し居室２内の空気に混入する。
【００２１】
このような場合には、図示しない脱臭装置５の電源をＯＮさせて送風ファン１３を駆動させる。これにより、居室２内で発生する臭気を含む空気が矢印２０で示したように吸込ダクト１４を介して脱臭装置５内に吸い込まれた後、この吸い込まれた空気が送風ダクト１５側に流れる。
【００２２】
この際、脱臭装置５内に吸い込まれた空気は送風ファン１３により乱流となって脱臭シート７の表面に接触しながら送風ダクト１５側に流れて、空気中に含まれる臭気が脱臭シート７に吸着され、空気に含まれる臭気成分が減少させられる。この臭気が減少させられた空気は、送風ダクト１５を介して居室２内に矢印２１で示したように還流される。このような空気の循環が繰り返されて、居室２内の空気から大半の臭気が除去される。
【００２３】
図５はタバコ１８のみの場合の臭気除去の実験例を示したものである。この実験は、実験条件として
（１）循環空気風量
１４０ｍ3／ｈを６回
（２）脱臭シート７の表面積
２０ｍ2
（３）容認域（８０％）の設定
ASHREA(米国空調冷凍工業会）ガイドラインに準拠
（４）タバコ５本喫煙
等に設定して行った。
【００２４】
図５において、２２は現行の居室の臭気除去特性曲線、２３は市販の臭気等の吸着壁紙を居室２の壁面に貼り付けた場合の臭気除去の容認率を示す臭気除去特性曲線、２４は市販の空気清浄機を用いた場合の臭気除去の容認率を示す臭気除去特性曲線、２５はこの発明に係る脱臭装置５を用いた場合の臭気除去特性曲線を示したものである。
【００２５】
この図５の結果によれば、臭気除去が容認域８０％に至るまでの時間は、現行の場合が略５時間弱、市販の臭気除去用の吸着壁紙の場合が略２時間、市販の空気清浄機の場合が略１時間３０分、本発明にかかる脱臭装置５を用いた生活臭脱臭システムの場合が３０分であった。
【００２６】
この実験例から分かるように、本発明にかかる脱臭装置５を用いた生活臭脱臭システムの場合には、臭気除去が容認域８０％に至るまでの時間が市販の空気清浄機を用いた場合に比べて３倍の脱臭速度であった。
【００２７】
また、図６はペットの場合の臭気除去の実験例を示したものである。この実験は、実験条件として
（１）循環空気風量
１４０ｍ3／ｈを６回
（２）脱臭シート７の表面積
２０ｍ2
（３）容認域（８０％）の設定
ASHREA(米国空調冷凍工業会）ガイドラインに準拠
（４）ペット１９としてシーズ犬を使用
図６において、２６は現行の居室の臭気除去を示す容認率バー、２７は市販の臭気等の吸着壁紙を居室２の壁面に貼り付けた場合の臭気除去を示す容認率バー、２８は市販の空気清浄機を用いた場合の臭気除去を示す容認率バー、２９はこの発明に係る脱臭装置５を用いた場合の臭気除去を示す容認率バーである。
【００２８】
この図６の結果によればペット臭の除去例では、現行の場合，吸着壁紙や空気清浄機を用いた場合に臭気除去の容認率が８０％より低かったのに対して、この発明の脱臭装置５を用いた生活臭脱臭システムの場合、臭気除去が容認率が常時１００％であった。
【００２９】
また、脱臭装置５の脱臭性能が低下した場合には、脱臭装置５内の脱臭シート７を交換する。この場合、先ず図３，図４に示した床板３の蓋体（床蓋）１７を取り外して点検口１６を開き、脱臭装置５の脱臭ケース６を露出させる。この後、図４に破線で示したように脱臭ケース６のケース本体９に設けたケース蓋１０を開いて、ケース本体９の脱臭部材出入口９ａから図１，図２の脱臭シート７を交換する。そして、ケース蓋１０を閉じ、点検口１６を蓋体１７で閉成することにより、脱臭シート７の交換が終了する。
【００３０】
尚、脱臭シート７を両端が開放するカートリッジに予め収納しておいて、このカートリッジを脱臭部材出入口９ａからケース本体９に対して出し入れするようにすることにより、脱臭シート７の交換作業性を向上させるようにしても良い。
【００３１】
更に、脱臭装置５内の送風ファン１３の性能が低下したり、脱臭装置５の脱臭ケース６等が汚れたり痛んだりした場合には、脱臭装置５を交換すると良い。尚、脱臭装置５の性能が低下した場合にも、脱臭装置５を交換しても良い。
【００３２】
この交換の場合、先ず床板３の蓋体１７を取り外して点検口１６を開き、脱臭装置５の接続筒部１１，１２とダクト１４，１５を固定している締結バンド１４ａ，１５ａを取り外した後に、蛇腹部１４ｂ，１５ｂが縮むようにしてダクト１４，１５を接続筒部１１，１２から取り外し、脱臭装置５を点検口１６から取り出す。
【００３３】
そして、新たな脱臭装置５を点検口１６から床下に配設して、蛇腹部１４ｂ，１５ｂが縮むようにしてダクト１４，１５を接続筒部１１，１２に嵌合接続し、締結バンド１４ａ，１５ａにより接続筒部１１，１２にダクト１４，１５を固定し、床板３の点検口１６を蓋体１７で閉成することにより、脱臭装置５の交換が終了する。
【００３４】
尚、上述した例では、ダクト１４，１５の脱臭装置５側の端部に伸縮可能な蛇腹部１４ｂ，１５ｂを設けて、脱臭装置５をダクト１４，１５に着脱し易くしているが、必ずしもこれに限定されるものではない。例えば、ダクト１４，１５の端部にスライド可能な筒体を気密に嵌合保持させ、この筒体を脱臭装置５の接続筒部１１，１２に螺合するように構成しても良い。
[変形例１]
また、上述した実施例では、脱臭装置５を床下に配設した例を示したが、必ずしもこれに限定されるものではない。例えば、脱臭装置５を建物１の天井に配設しても良い。
【００３５】
図７は、脱臭装置５を床下に配設した場合と天井に配設した場合の比較例を示したもので、所定量の空気量を何回循環させたら臭気除去の容認率が８０％となるかを示したものである。この際の実験条件として
（１）循環空気風量
１回あたり１４０ｍ3／ｈ
（２）脱臭シート７の表面積
２０ｍ2
（３）容認域（８０％）の設定
ASHREA(米国空調冷凍工業会）ガイドラインに準拠
（４）タバコ５本喫煙
等に設定した。
【００３６】
この図７において、３０は脱臭装置５を床下に配設した場合の臭気除去の容認率を示す臭気除去特性曲線、３１は脱臭装置５を天井に配設した場合の臭気除去の容認率を示す臭気除去特性曲線を示す。
【００３７】
この図７から分かるように、１回あたり１４０ｍ3／ｈの空気の循環回数が２〜５回と
低い場合の臭気除去性能は脱臭装置５を天井に配設した場合よりも床下に配設した場合のほうが高く、１回あたり１４０ｍ3／ｈの空気の循環回数が５回より多い場合には臭気除
去性能は脱臭装置５を天井に配設した場合も床下に配設した場合も同じであった。
【００３８】
尚、脱臭装置５を建物１の天井に配設する場合、天井の上にシステム配設空間を形成して、このシステム配設空間内に図１の脱臭装置５及びダクト１４，１５を配設し、天井にダクト１４，１５の一端を開口させる。また、天井には上述した床板３に設けた点検口１６と同様の点検口（図示せず）を設ける。この場合、点検口は脱臭装置５の側方に位置させると共に、脱臭装置５の蓋体１７は点検口から見える側の側方に位置させると良い。この点検口も図示しない蓋体で開閉可能に閉成する。
【００３９】
また、この場合にも上述したようにして脱臭シートや脱臭装置の交換を行うことができる。
【００４０】
更に、上述したように吸込ダクト１４の一端は吸込口として居室２に開口し、送風ダクト１５の一端は居室２に送風口として開口している。この吸込口や送風口を仕切戸や仕切壁等で居室と区画された廊下等に開口させ、この仕切戸や仕切壁等の上下部にガラリを設けておくことで、居室内の空気をガラリ及びダクト１４，１５介して脱臭装置５に循環させることもできる。
[変形例２]
図８〜図１０は、２階建ての建物４０に本発明にかかる生活臭脱臭システムを適用した例を示したものである。
【００４１】
この建物４０は、下階居室（下階空間）４１と上階居室（上階空間）４２を有する。そして、下階居室４１の天井４１ａと上階居室４２の床板４２ａとの間にはシステム配設空間４３が形成されている。このシステム配設空間４３内には上述した脱臭装置５が配設されている。
【００４２】
尚、床板４２ａには、上述した床板３の点検口１６と同様な点検口４４を設け、この点検口４４を蓋体４５で開閉可能に閉成している。この点検口４４を介して脱臭シート７の交換や脱臭装置５の交換を上述と同様に行うことができる。
【００４３】
また、システム配設空間４３内には吸込ダクト４６と送風ダクト４７が配設されている。この吸込ダクト４６の一端部には分岐ダクト部４６ａ，４６ｂが形成され、送風ダクト４７の一端部には分岐ダクト部４７ａ，４７ｂが形成れている。
【００４４】
この分岐ダクト部４６ａ，４７ａは下階居室４１の天井４１ａの接続口４１ｂ，４１ｃに接続され、分岐ダクト部４６ｂ，４７ｂは上階居室４２の床板４２ａの接続口４２ｂ，４２ｃに接続されている。尚、分岐ダクト部４６ａ，４６ｂの端部は下階居室４１及び上
階居室４２に吸込口として開口し、分岐ダクト部４７ａ，４７ｂの端部は下階居室４１及び上階居室４２に送風口として開口している。
【００４５】
また、ダクト４６，４７の他端部は、脱臭装置５の接続筒部１１，１２に上述したダクト１４，１５と同様にして着脱可能に接続されている。
【００４６】
更に、分岐ダクト部４６ａ，４６ｂの分岐部４６ｃには風路切換用のダンパ４８が切替手段として取り付けられ、分岐ダクト部４７ａ，４７ｂの分岐部４７ｃにはダンパ４９が切替手段として取り付けられている。
【００４７】
このような構成においては、図８に示したようにダンパ４８，４９を略水平にした状態で、送風ファン１３を作動させると、下階居室４１及び上階居室４２内の空気が分岐ダクト部４６ａ，４６ｂからそれぞれ吸込ダクト４６内に同時に吸い込まれて、吸い込まれた空気を脱臭装置５に送風することができる。
【００４８】
そして、脱臭装置５内では上述したようにして空気の臭気の一部が除去される。この臭気の一部が除去された空気は送風ダクト４７から分岐ダクト部４７ａ，４７ｂを介してそれぞれ下階居室４１及び上階居室４２内に送風される。このような空気の流れを循環させることで、居室４１，４２内の空気に含まれる臭気を脱臭装置５により除去できる。
【００４９】
また、図９に示したようにダンパ４８，４９で分岐ダクト部４６ｂ，４７ｂを閉成した状態で、送風ファン１３を作動させると、下階居室４１の空気のみが分岐ダクト部４６ａから吸込ダクト４６内に吸い込まれて、吸い込まれた空気が脱臭装置５内に送風される。そして、脱臭装置５内では上述したようにして空気の臭気の一部が除去される。この臭気の一部が除去された空気は送風ダクト４７から分岐ダクト部４７ａを介して下階居室４１内に送風される。このような空気の流れを循環させることで、下階居室４１内の空気に含まれる臭気を脱臭装置５により除去できる。
【００５０】
更に、図１０に示したようにダンパ４８，４９で分岐ダクト部４６ａを閉成した状態で、送風ファン１３を作動させると、上階居室４２の空気のみが分岐ダクト部４６ｂから吸込ダクト４６内に吸い込まれて、吸い込まれた空気を脱臭装置５内に送風することができる。そして、脱臭装置５内では上述したようにして空気の臭気の一部が除去される。この臭気の一部が除去された空気は送風ダクト４７から分岐ダクト部４７ｂを介して上階居室４２内に送風される。このような空気の流れを循環させることで、上階居室４２内の空気に含まれる臭気を脱臭装置５により除去できる。
【００５１】
以上説明したように、この発明の実施の形態の生活臭脱臭システムにおいては、建物（１，４０）の空間（居室２，４１，４２）の天井上又は床下に脱臭装置５を配設し、前記空間（居室２，４１，４２）内の空気を前記脱臭装置５に供給して脱臭した後に前記空間（居室２，４１，４２）に戻す循環風路（ダクト１４，１５内及び脱臭装置５内の一連の風路、又はダクト４６，４７内及び脱臭装置５内の一連の風路）が設けられ、前記循環風路（ダクト１４，１５内及び脱臭装置５内の一連の風路、又はダクト４６，４７内及び脱臭装置５内の一連の風路）途中に送風ファン１３が設けられている。また、前記脱臭装置５は脱臭ケース６及び該脱臭ケース６内に折り曲げて配設された脱臭シート７を備えている。
【００５２】
この構成によれば、脱臭シート７が脱臭ケース６内に折り曲げて配設して、脱臭面積を大きくしているので、小型の脱臭装置５を用いても脱臭効率を向上させることができる。
【００５３】
また、この発明の実施の形態の生活臭脱臭システムにおいて、前記脱臭装置５は前記循
環風路（ダクト１４，１５内及び脱臭装置５内の一連の風路、又はダクト４６，４７内及び脱臭装置５内の一連の風路）途中に着脱可能に介装されていると共に、前記脱臭装置５の設置位置に対応させて前記天井又は床（床板３，４２ａ）に前記脱臭装置５全体を出し入れ可能な点検口（１６，４４）が設けられ、前記点検口（１６，４４）を蓋体（１７，４５）で開閉可能に閉成されている。
【００５４】
この構成によれば、脱臭装置５全体を点検口（１６，４４）から交換可能であるので、脱臭装置５のメインテナンス性が向上する。
【００５５】
更に、この発明の実施の形態の生活臭脱臭システムにおいて、前記脱臭装置５のケース（ケース本体９）にケース蓋１０で開閉可能な脱臭部材出入口９ａを設け、前記ケース蓋１０を前記点検口１６に臨ませている。
【００５６】
この構成によれば、脱臭シート７のみを容易に交換可能であるので、メインテナンス性が更に向上する。
【００５７】
また、この発明の実施の形態の生活臭脱臭システムにおいて、建物４０は下階空間（下階居室４１）と上階空間（上階居室４２）を有し、前記下階空間（下階居室４１）の天井４１ａと上階空間（上階居室４２）の床（床板４２ａ）との間に脱臭装置５が配設され、前記下階空間（下階居室４１）と上階空間（上階居室４２）の空気を前記脱臭装置５を介して前記下階空間（下階居室４１）と上階空間（上階居室４２）に循環させる循環風路（ダクト４６，４７内及び脱臭装置５内の一連の風路）が設けられていると共に、前記循環風路（ダクト４６，４７内及び脱臭装置５内の一連の風路）の途中に前記下階空間（下階居室４１）と上階空間（上階居室４２）の空気を同時又は切り替えて循環させる切替手段（ダンパ４８，４９）が設けられている。
【００５８】
この構成によれば、下階空間（下階居室４１）と上階空間（上階居室４２）の空気内の臭気の脱臭を同時又は切り替えて行うことができるので、一つの脱臭装置５で下階空間（下階居室４１）と上階空間（上階居室４２）の空気内の臭気の脱臭を効果的に行うことができる。
【図面の簡単な説明】
【００５９】
【図１】この発明に係る生活臭脱臭システムを概略的に示した模式図である。
【図２】図１の脱臭装置を概略的に示した斜視図である。
【図３】図１の床板と脱臭装置との関係を示す説明図である。
【図４】図３の脱臭装置を矢印Ａ´方向から見た床板と脱臭装置との関係を示す説明図である。
【図５】脱臭実験の一例を示す脱臭特性曲線図である。
【図６】脱臭実験の他の例を示す脱臭特性曲線図である。
【図７】脱臭実験の更に他の例を示す脱臭特性曲線図である。
【図８】この発明に係る生活臭脱臭システムの変形例を概略的に示した模式図である。
【図９】図８に示した生活臭脱臭システムの作用説明図である。
【図１０】図８に示した生活臭脱臭システムの作用説明図である。
【符号の説明】
【００６０】
１…建物
２…居室（空間）
３…床板（床）
５…脱臭装置
６…脱臭ケース
７…脱臭シート
９…ケース本体（ケース）
９ａ…脱臭部材出入口
１０…ケース蓋
１３…送風ファン
１４…吸込ダクト
１５…送風ダクト
１６…点検口
１７…蓋体
４０…建物
４１…下階居室（下階空間）
４２…上階居室（上階空間）
４２ａ…床板
４４…点検口
４５…蓋体
４６…吸込ダクト
４７…送風ダクト
４８，４９…ダンパ（切替手段）
【図１】
2006122261.tif 000003
【図２】
2006122261.tif 000004
【図３】
2006122261.tif 000005
【図４】
2006122261.tif 000006
【図５】
2006122261.tif 000007
【図６】
2006122261.tif 000008
【図７】
2006122261.tif 000009
【図８】
2006122261.tif 000010
【図９】
2006122261.tif 000011
【図１０】
2006122261.tif 000012